(57)【要約】      （修正有）【課題】両方向に紫外線遮断剤を備えて選択的に使用可能にすることにより、使い勝手をよくする両方向タイプのサンスティック容器を提供する。【解決手段】容器の両方向に紫外線遮断剤が充填された状態で備えられるようにして、より自由に紫外線遮断剤を使用できるようにした両方向サンスティック容器に関する。このサンスティック容器は、容器ハウジング１１０と、容器ハウジングの底面と係合する回転体１２０と、回転体の回転につれてねじ運動により容器ハウジング内において上下動するサンスティック取付けブラケット１４０と、サンスティック取付けブラケットを覆う上カバー１５０と、回転体の下部を覆う下カバー１６０と、を備えている。サンスティック取付けブラケット１４０の上部領域及び回転体１２０の下部領域に紫外線遮断剤がそれぞれ充填されている。【選択図】図２
0003216463.tif 000002
【実用新案登録請求の範囲】
【請求項１】
容器ハウジングと、
前記容器ハウジングの下部と係合し、底面の中央には上方に向かって円柱状の延長部が一体に形成される回転体と、
前記回転体の延長部に嵌着される下ブラケットと、内周面にねじ山が形成される上ブラケットと、を有する締付具と、
所定の厚さのベース及び前記ベースの底面から下方に向かって延び、前記締付具のねじ山と螺合するように外周面にねじ山が形成された長手部を有し、前記回転体の回転につれて前記容器ハウジング内において上下動するサンスティック取付けブラケットと、
前記サンスティック取付けブラケットの上部領域を覆う上カバーと、
前記回転体の下部領域を覆う下カバーと、を備え、
前記サンスティック取付けブラケットの上部及び前記回転体の下部には紫外線遮断剤がそれぞれ充填されて硬化された状態で提供され、
前記それぞれ充填された紫外線遮断剤は、紫外線遮断指数が同一又は異なることを特徴とする両方向サンスティック容器。
【請求項２】
前記延長部は、
円周方向に沿って所定の間隔を隔てて所定の深さに形成される締付溝と、前記締付溝内に形成された係止爪と、を備え、
前記延長部と係合する前記下ブラケットの外周面には、前記締付溝と対応する個所に前記係止爪と係合するように係止突起が形成されることを特徴とする請求項１に記載の両方向サンスティック容器。
【請求項３】
前記延長部及び前記長手部は、紫外線遮断剤を充填する通路として用いられるように中空状に形成され、
前記通路を介して充填される紫外線遮断剤が前記ベースの上部領域及び前記回転体の下部領域において所定の形状を有するように前記上カバー及び下カバーの内側には第１のリッド及び第２のリッドがそれぞれ配備されることを特徴とする請求項１に記載の両方向サンスティック容器。
【考案の詳細な説明】
【技術分野】
【０００１】
本考案は、サンスティック容器に係り、更に詳しくは、スティック状に製造されたサンスティック容器の両方向に紫外線遮断剤を備え、必要に応じていずれか一方の側にある紫外線遮断剤が手軽に塗れるようにする両方向タイプのサンスティック容器に関する。
【背景技術】
【０００２】
紫外線遮断剤は、紫外線に長時間に亘って露出される場合、色素沈着、皮膚老化などが生じ、皮膚が弱くなり易いため、皮膚の保護を目的とする。また、この種の紫外線遮断剤は、紫外線のみを遮断する従来の一次元的なサンクリームにとどまることなく、美容効果まで与える機能性化粧品に進化し続けている。この理由から、今日、紫外線遮断剤は、旅行や出かけの際に携行すべき必須品として認識されている。
【０００３】
このようなニーズに応えて、紫外線遮断剤は、多種多様なタイプの製品に製品化されている。例えば、クリーム状やチューブ状、ポンピング容器を用いた製品、サンスプレイなどの噴射型製品などが挙げられる。また、上述したタイプの種々の製品は、皮膚に紫外線遮断剤を塗った後、自ら手でこすって使用する方式であるといえる。しかしながら、紫外線遮断剤は、皮膚に随時塗り重ねてはじめて十分な効果が得られるため、使い勝手の良さが求められる。上記の製品は、手に紫外線遮断剤が付着してしまうという不都合がある。
【０００４】
従って、最近では携行し易く、しかも、塗り易いスティック状の紫外線遮断剤が汎用されており、通常、このような紫外線遮断剤が用いられた製品を「サンスティック」又は「サンブロック」と称する。従って、本明細書においては、紫外線遮断剤付き容器をサンスティック容器と称する。このサンスティック容器は、スティック状のものであり、紫外線遮断剤が手軽に塗れることから、使用に際して手に付着せず、携行し易いというメリットがある。このようなサンスティック容器の構造について述べると、サンスティックを使用するためには容器本体の一部を回して内部に収容された紫外線遮断剤であるサンスティックを上昇させるようになっている。なお、紫外線遮断剤を塗った後には、再び容器本体の一部を逆方向に回してサンスティックを元の位置に戻すような構造である。
【０００５】
しかしながら、このような従来のサンスティック容器は、一方向にのみ紫外線遮断剤が備えられているためその使い方が限定的であった。この理由から、既存の一方向にのみ紫外線遮断剤が備えられた製品の場合、消費者がその紫外線遮断剤を顔及びボディ（腕／脚）に同時に使用することを嫌がる傾向にあるという不都合がある。
【０００６】
また、従来のサンスティック容器には、同じ紫外線遮断指数を有する紫外線遮断剤しか備えられていない。ところが場合によって、顔及び腕／脚に異なる紫外線遮断指数の紫外線遮断剤を塗る必要がある。例えば、顔には腕／脚よりも相対的に紫外線遮断指数の低い遮断剤を塗る必要がある。しかしながら、既存の製品はこのような効果を全く提供することができず、消費者は異なる紫外線遮断指数の紫外線遮断製品を別途に備えなければならない。加えて、紫外線遮断剤を除く他の機能性製品を使用する場合、紫外線遮断製品とは別途に他の機能性製品を携行しなければならないという煩雑さもある。
【０００７】
更に、このように一方向に備えられた紫外線遮断剤は、回転によって垂直方向に移動するが、仮に容器本体に設けられた回転構造が破損されれば、紫外線遮断剤を全く使用することができなかった。その結果、消費者が破損されたことを認識しないままで携行する場合、紫外線遮断剤を全く塗ることができないという不都合がある。
【考案の概要】
【考案が解決しようとする課題】
【０００８】
本考案は、このような従来の問題を解消するために案出されたものであり、その目的は、サンスティック容器の両方向に紫外線遮断剤を備えて選択的に使用可能にすることにより、使い勝手をよくする両方向タイプのサンスティック容器を提供することである。例えば、一方の紫外線遮断剤は顔にのみ使用し、他方の紫外線遮断剤は顔を除くボディ部分に使用するようにする。
【０００９】
本考案の他の目的は、異なる紫外線遮断指数の紫外線遮断剤を提供し、或いは、紫外線遮断剤及び他の機能性化粧品を併用するようにして、多機能性を提供する両方向タイプのサンスティック容器を提供することである。
【課題を解決するための手段】
【００１０】
上記の目的を達成するために、本考案によるサンスティック容器は、 容器ハウジングと、前記容器ハウジングの下部と係合し、底面の中央には上方に向かって円柱状の延長部が一体に形成される回転体と、前記回転体の延長部に嵌着される下ブラケットと、内周面にねじ山が形成される上ブラケットと、を有する締付具と、所定の厚さのベース及び前記ベースの底面から下方に向かって延び、前記締付具のねじ山と螺合するように外周面にねじ山が形成された長手部を有し、前記回転体の回転につれて前記容器ハウジング内において上下動するサンスティック取付けブラケットと、前記サンスティック取付けブラケットの上部領域を覆う上カバーと、前記回転体の下部領域を覆う下カバーと、を備え、前記サンスティック取付けブラケットの上部及び前記回転体の下部には紫外線遮断剤がそれぞれ充填されて硬化された状態で提供される。
【００１１】
ここで、好ましくは、前記それぞれ充填された紫外線遮断剤は、紫外線遮断指数が同一又は異なる。
【００１２】
また、前記延長部は、円周方向に沿って所定の間隔を隔てて所定の深さに形成される締付溝と、前記締付溝内に形成された係止爪と、を備え、前記延長部と係合する前記下ブラケットの外周面には、前記締付溝と対応する個所に前記係止爪と係合するように係止突起が形成される。
【００１３】
本考案の実施形態によれば、前記延長部及び長手部は、紫外線遮断剤を充填する通路として用いられるように中空状に形成され、前記通路を介して充填される紫外線遮断剤が前記ベースの上部領域及び前記回転体の下部領域において所定の形状を有するように前記上カバー及び下カバーの内側には型枠として用いられる第１のリッド及び第２のリッドが配備される。
【考案の効果】
【００１４】
以上述べたように本考案のサンスティック容器によれば、サンスティック容器の両方向に紫外線遮断剤が充填されて提供されるので、消費者にとっては、紫外線遮断剤の使い勝手がよい。即ちこのような紫外線遮断剤は、一方の側には回転体の回転につれて垂直に移動するように備えられ、他方の側には充填されて固定された状態で一つの製品に備えられることから、選択的にいずれか一つの紫外線遮断剤を適切に使用することができる。
【００１５】
また、このようにサンスティック容器に両方向に紫外線遮断剤を備えるので、一方の紫外線遮断剤は顔専用に使用し、他方の紫外線遮断剤はボディ専用に使用することができて、拒否感を解消することもできる。
【００１６】
更に、両方向の紫外線遮断剤を異なる紫外線遮断指数を有するように構成する場合、消費者は、一つの製品を用いて、顔及び顔を除くボディ部分に異なる紫外線遮断指数を有する紫外線遮断剤を塗ることができるという効果も期待することができる。なお、他の機能性製品を紫外線遮断剤と併用することもできる。この場合、一つの製品を用いて色々な機能を提供することができて、消費者の満足度を高めることができる。
【図面の簡単な説明】
【００１７】
【図１】本考案のサンスティック容器を示す斜視図である。
【図２】本考案のサンスティック容器の分解図である。
【図３】本考案のサンスティック容器の断面図である。
【図４Ａ】本考案のサンスティック容器に紫外線遮断剤を充填する過程を示す例示する図である。
【図４Ｂ】本考案のサンスティック容器に紫外線遮断剤を充填する過程を示す例示する図である。
【図４Ｃ】本考案のサンスティック容器に紫外線遮断剤を充填する過程を示す例示する図である。
【考案を実施するための形態】
【００１８】
以下、添付図面に示す実施形態に基づいて、本考案について詳述する。同図に示すように、サンスティック容器１００は、中空の容器ハウジング１１０を備える。このような容器ハウジング１１０は、組み立てられたときにサンスティック容器１００の上部の一部を形成し、中空の内部空間を介して紫外線遮断剤であるサンスティックが上下方向に移動する通路の役割を果たす。ここで、容器ハウジング１１０の上端面を基準として、未使用状態のサンスティックは、一部が突出した状態であるか、或いは、容器ハウジング１１０の内部に全て収容される状態である。
【００１９】
容器ハウジング１１０の底面の端部には、容器ハウジング１１０と係合した状態で回転自在に構成される回転体１２０が配備される。この回転体１２０は、容器ハウジング１１０内に収容されたサンスティックを上方に移動させたり、再び下方に移動させたりする役割を果たす。このような回転体１２０は、容器ハウジング１１０内に位置する紫外線遮断剤（以下、「第１のサンスティック」と称する。）のみを上下方向に移動させるものであり、後述する他の紫外線遮断剤（以下、「第２のサンスティック」と称する。）とはいかなる関係もない。
【００２０】
また、回転体１２０には、底面の中央に上方に向かって略円柱状の延長部１２２が一体に形成されている。延長部１２２には、上端の円周方向に沿って所定の深さの締付溝１２４が所定の間隔を隔てて形成されている。更に、締付溝１２４は、後述する締付具１３０への締付力を高めるために、断面視で内側に係止爪１２６が形成される。
【００２１】
延長部１２２と係合する締付具１３０が配設される。締付具１３０は、実質的に回転体１２０と、第１のサンスティック付きサンスティック取付けブラケット１４０とを互いに連結する役割を果たす。このような締付具１３０は、延長部１２２の内周面に嵌着されるように延長部１２２の直径よりも小さな直径を有する下ブラケット１３２と、下ブラケット１３２の上方に向かって延び、内周面にねじ山（雌ネジ）が形成された上ブラケット１３４とが一体に形成されてなる。また、下ブラケット１３２及び上ブラケット１３４を区切る中間部分には、外周方向に支持爪１３３が突設される。このような支持爪１３３は、締付具１３０が締付部１２２内に嵌め込まれるとき、支持爪１３３の底面を締付部１２２の上端面と当接させて、締付部１２２内に嵌め込まれる締付具１３０の移動距離を制限する役割を果たす。なお、下ブラケット１３２の外周面には、延長部１２２への嵌着に際して締付溝１２４内に嵌入して移動する係止突起（図示せず）が形成される。このような係止突起は、締付溝１２４内において係止爪１２６に沿って移動して係合状態を強固にする。
【００２２】
延長部１２２及び締付具１３０はそれぞれ内部が空いている中空状を呈し、このような内部は、紫外線遮断剤を充填する通路の役割を果たす（図４Ｂ参照）。これについては後述する。
【００２３】
締付具１３０の上方において係合するサンスティック取付けブラケット１４０が配設される。サンスティック取付けブラケット１４０は、所定の厚さを有し、略円板状のベース１４２と、そのベース１４２の底面から下方に向かって延び、外周面にねじ山（雄ネジ）が形成される長手部１４４と、により構成される。このような長手部１４４が締付具１３０の上ブラケット１３４の内側に嵌入りして螺合する。このような螺合により、回転体１２０が回転する場合、サンスティック取付けブラケット１４０の長手部１４４が容器ハウジング１１０の内で上方又は下方に移動する。即ち、図３に示すように、ベース１４２は外側に位置する容器ハウジング１１０の内周面に固定された状態であり、従って、回転体１２０が回転するとき、ベース１４２は、移動せずに締付具１３０と螺合された長手部１４４のみ上方に移動したり、下方に移動することができる。なお、長手部１４０の内部も空いている状態（中空状態）であり、紫外線遮断剤を充填する通路役割を果たすが、これについても後述する（図４Ｂ参照）。一方、ベース１４２の上面には、充填された後に硬化された状態の紫外線遮断剤が提供される。
【００２４】
サンスティック取付けブラケット１４０を上部から覆う上カバー１５０が配設される。上カバー１５０は、サンスティック取付けブラケット１４０にある紫外線遮断剤を覆う用途に用いられる。このような上カバー１５０の内側の上端には、上カバー１５０の内面と対応する略半円状の第１のリッド１５２が配設される。第１のリッド１５２は、実質的に、容器ハウジング１１０及び上カバー１５０とともにベース１４２の上部に紫外線遮断剤を充填可能にする型枠として配設される。なお、このような第１のリッド１５２は透明な材質により形成され、紫外線遮断剤が上カバー１５０の内面に付着することを防ぐ役割も果たす。
【００２５】
本考案によれば、第１のサンスティックに加えて、回転体１２０の下部に硬化された状態の第２のサンスティックが配設される。このように本考案は、サンスティック容器１００の両側、即ち上側及び下側に紫外線遮断剤を備えるものである。
【００２６】
このような第２のサンスティックを覆うように、容器ハウジング１１０の下部を覆う下カバー１６０が配備される。下カバー１６０には、紫外線遮断剤を充填するための型枠として用いられる第２のリッド１６２が配備されている。このような第２のリッド１６２は、紫外線遮断剤が充填された後には、下カバー１６０内にそのまま存在するか、或いは、取り外された状態で紫外線遮断剤を使用することができる。
【００２７】
このような構成を有する本考案によれば、消費者は、容器ハウジング１１０の上部及び下部に備えられた紫外線遮断剤を選択的に使用することが可能になる。容器ハウジング１１０の上部に備えられた紫外線遮断剤を使用する場合には、上カバー１５０を脱去した状態で回転体１２０を回転させれば、ねじ運動によりサンスティック取付けブラケット１４０は容器ハウジング１１０内の上方に向かって移動して使用可能な状態となる。また、使用後には、回転体１２０を逆方向に回転させた後、上カバー１５０を再び覆い被せればよい。このとき、使用後に容器ハウジング１１０内に紫外線遮断剤が完全に収容されていない状態で上カバー１５０を覆い被せたとしても、その上カバー１５０内の第１のリッド１５２により上カバー１５０の内周面に紫外線遮断剤が付着することが防がれる。
【００２８】
また、第２のサンスティックを使用する場合には、単に下カバー１６０のみを脱去すれば良い。使用後には、下カバー１６０のみを再び覆い被せればよい。
このように、本考案は、サンスティック容器の両端に備えられた紫外線遮断剤を併用することができる。
【００２９】
サンスティック容器１００に備えられる紫外線遮断剤は、図４Ａ〜図４Ｃに示す方法により充填される。図４Ａに示すように、両方向サンスティック容器は、組立て前の状態で２つの第１のパート２００と第２のパート３００に仕切られる。第１のパート２００は、容器ハウジング１１０と、その容器ハウジング１１０の外面に覆い被せられた上カバー１５０と、上カバー１５０の上端の内側に配備された第１のリッド１５２と、容器ハウジング１１０の内部に取り付けられたサンスティック取付けブラケット１４０と、を備える。また、第２のパート３００は、回転体１２０及びその回転体１２０の下部と係合する下カバー１６０と、下カバー１６０の内側に配備された第２のリッド１６２と、を備える。
【００３０】
図４Ａに示すように第１のパート２００及び第２のパート３００は、それぞれ組み立てられた状態である。
この状態で、図４Ｂに示すように第１のパート２００は、ひっくり返した後に中空状の長手部１４４の入口を介して紫外線遮断剤を供給して、実質的にベース１４２と上カバー１５０との間の空間に「Ａ」のように充填する。また、第２のパート３００は、真っ直ぐに立てた状態で、中空状の延長部１２２の入口を介して紫外線遮断剤を供給して、実質的に回転体１２０の下部と第２のリッド１６２との間の空間に「Ｂ」のように充填する。
【００３１】
次いで、紫外線遮断剤が充填されてから硬化された後には、図４Ｃに示すように長手部１４４を延長部１２２内に嵌入して、第１のパート２００及び第２のパート３００を組み合わせてサンスティック容器１００を完成する。完成されたサンスティック容器１００は、図３の通りである。
【００３２】
一方、本考案においては、容器ハウジング１１０の上部及び下部に紫外線遮断剤を充填することを例にとって説明している。しかしながら、いずれか一つの方向に、紫外線遮断剤ではなく、他の機能性を与える成分を充填し且つ硬化させれば、一つのサンスティック容器に２種類の異なる機能性化粧品を提供することもできる。なお、上部及び下部に備えられた紫外線遮断剤の紫外線遮断指数を異ならせてもよい。これにより消費者は、一つの製品を用いて、顔及びボディに紫外線遮断指数が異なる紫外線遮断剤を塗ることができて、使い勝手がよくなる。
【００３３】
以上述べたように、本考案の図示の実施形態を参照して説明しているが、これは単なる例示的なものに過ぎず、本考案が属する技術分野における通常の知識を有する者であれば、本考案の要旨及び範囲を逸脱しない範囲内において種々の変形、変更を加えることができ、しかも、均等な他の実施形態が採用可能であるということが理解できる。よって、本考案の真の技術的な保護範囲は、特許請求の範囲の技術的な思想により定められるべきである。
【符号の説明】
【００３４】
１００  サンスティック容器
１１０  容器ハウジング
１２０  回転体
１２２  延長部
１２４  締付溝
１２６  係止爪
１３０  締付具
１３２  下ブラケット
１３４  上ブラケット
１４０  サンスティック取付けブラケット
１４２  ベース
１４４  長手部
１５０  上カバー
１５２  第１のリッド
１６０  下カバー
１６２  第２のリッド
【図１】
0003216463.tif 000003
【図２】
0003216463.tif 000004
【図３】
0003216463.tif 000005
【図４Ａ】
0003216463.tif 000006
【図４Ｂ】
0003216463.tif 000007
【図４Ｃ】
0003216463.tif 000008